(57)【要約】      （修正有）【課題】機能性ヌードブラジャーの改良を提供する。【解決手段】ブラジャー本体１は１枚の長方形シートで一体成形され、特にブラジャー本体１の成形時にその両側に形状記憶支持シート２、２’がそれぞれ結合される。形状記憶支持シート２、２’はブラジャー本体１の挟み層に嵌入されて被覆されるか、或いはその外面に貼着される。両側の形状記憶支持シートを利用し、ブラジャー本体が広げられて伸びて胸部に粘着される際に、個人の体型の違いに合わせて胸部の両側を支持させるように固定され、胸部の両側（或いは腋下部位）の皮膚が引っ張られることで傷つくことがないようになる。ブラジャー本体は周縁の輪郭辺に僅かに内曲される曲面ガイド部が形成され、ブラジャー本体が胸部に粘着さて吸盤のような被覆効果を発生させ、ブラジャー本体が胸部に堅固に着用され、被覆及び固定の快適性が増す。【選択図】図１
0003217239.tif 000002
【実用新案登録請求の範囲】
【請求項１】
ブラジャー本体及び２枚の形状記憶支持シートで構成される機能性ヌードブラジャーの改良であって、ブラジャー本体は１枚の長方形シートで一体成形され、その外面には粘性がなく、内面に粘性を有し、２枚の形状記憶支持シートは共に薄片形状を呈し、且つ前記ブラジャー本体の両側にそれぞれ結合され、上述の薄片形状の２枚の形状記憶支持シートはブラジャー本体の両側にそれぞれ成形されるように結合され、ブラジャー本体が広げられて引っ張られて胸部に粘着されると、２枚の形状記憶支持シートが個人の体型に合わせて胸部の両側を支持させるように固定され、定型支持作用を発生させることを特徴とする機能性ヌードブラジャーの改良。
【請求項２】
前記２枚の形状記憶支持シートは同時に嵌入されて被覆されるようにブラジャー本体の挟み層内に一体成形されることを特徴とする請求項１に記載の機能性ヌードブラジャーの改良。
【請求項３】
前記２枚の形状記憶支持シートとして可撓性材料が採用されることを特徴とする請求項１に記載の機能性ヌードブラジャーの改良。
【請求項４】
前記可撓性材料は金属シート、アルミニウムシート、または他の薄いプラスチックシートであることを特徴とする請求項３に記載の機能性ヌードブラジャーの改良。
【請求項５】
前記２枚の形状記憶支持シートには軟性被覆フィルムが封入されることを特徴とする請求項１に記載の機能性ヌードブラジャーの改良。
【請求項６】
前記２枚の形状記憶支持シートは辺縁位置に軟性被覆フィルムが封入されることを特徴とする請求項１に記載の機能性ヌードブラジャーの改良。
【請求項７】
前記２枚の形状記憶支持シートはブラジャー本体の外面に直接貼着されることを特徴とする請求項１に記載の機能性ヌードブラジャーの改良。
【請求項８】
前記２枚の形状記憶支持シートは共にＣ形状を呈する薄片であり、且つ２枚の形状記憶支持シートのＣ形状の開口部はお互いに向かい合って、Ｃ形状の外縁部分はブラジャー本体の両側の形状に適するように対応させることを特徴とする請求項１に記載の機能性ヌードブラジャーの改良。
【請求項９】
前記ブラジャー本体は周縁の輪郭辺に僅かに内曲される曲面ガイド部が形成されることを特徴とする請求項１に記載の機能性ヌードブラジャーの改良。
【請求項１０】
前記ブラジャー本体は上縁及び下縁の中央部位に内向きの円弧角がそれぞれ形成され、ブラジャー本体の最外縁の両側には波辺形状がそれぞれ形成されることを特徴とする請求項１に記載の機能性ヌードブラジャーの改良。
【考案の詳細な説明】
【技術分野】
【０００１】
本考案は、ヌードブラジャーに関し、より詳しくは、左右２枚の形状記憶支持シートがブラジャー本体の両側にそれぞれ結合されることで構成される機能性ヌードブラジャーの改良に関する。
【背景技術】
【０００２】
よく知られているように、従来のヌードブラジャーはシリコン材料で製造され、シリコンが直接粘着して着用されるようになっており、肩紐やベルト構造がない。従来のヌードブラジャーは主に２つの分離したシリコンカップを備え、或いは２つのシリコンカップの間にはホックが増設され、着用時には２つのカップが両乳房をそれぞれ被覆させるように粘着され、またはホックにより張り具合の調整を行う。
【０００３】
本考案者は従来のカップ型ヌードブラジャーの色んな欠点を鑑み、「機能性ヌードブラジャー」の考案を以前出願しており（特許文献１参照）、第Ｍ３８８８５１号実用新案権を獲得している。前述の先行案では、１枚の長方形で一体成形されるシートブラジャー本体、平面の本体、及び両側辺の構造により両乳房を同時に引っ張って固定させ、胸を寄せて膨らみを強調させる。胸の形を整えるのに極めて高い修飾効果を発揮し、着用時の快適性も高いため、発売以来多くの使用者に喜ばれており、積極的に使用されるようになっている。
【先行技術文献】
【特許文献】
【０００４】
【特許文献１】台湾実用新案第０９８２２１５７１号明細書
【考案の概要】
【考案が解決しようとする課題】
【０００５】
しかしながら、ホックを有するまたはカップが連結される従来のヌードブラジャー、或いは本考案者の先行案に係る１枚の長方形で一体成形されるヌードブラジャーはどれも両乳房（または腋下部位）に粘着されて胸を寄せて盛り上げている。そのため、前記粘着部位の皮膚は人が移動している間に続々と引っ張られるため、皮膚が引っ張られて傷つくことがある。皮膚の表面はブラジャーが緊密に粘着されているため、皮膚が引っ張られた後に皮下組織に間質液が溜まって水泡が形成されることもある。また、続々と引っ張られ擦れると、水泡により皮膚が破れ、前記粘着部位のつやつやした皮膚に重大な傷害を及ぼすこともある。
【０００６】
そこで、本考案者は上記の欠点を改善するために、鋭意検討を重ねた結果、すなわち、前記製品の安全性及び快適性を考慮し改良を加え、独創的な前記１枚の長方形で一体成形されるヌードブラジャーが持つ胸の形を整える機能を更に強化し、着用がより安全で快適になる設計を追い求めた結果、本案の改良を提供するに至った。特に、粘着させて着用する際に皮膚が引っ張られて傷つく問題点を改善させた。
【０００７】
本考案はこうした状況に鑑みてなされたものであり、その目的は、機能性ヌードブラジャーの改良を提供することにある。
【課題を解決するための手段】
【０００８】
上記課題を解決するために、本考案のある態様の機能性ヌードブラジャーの改良は、ブラジャー本体及び２枚の形状記憶支持シートで構成され、前記ブラジャー本体は１枚の長方形で一体成形される長方形シートである。特に、ブラジャー本体の成形時にその両側に形状記憶支持シートがそれぞれ結合される。前記両側の形状記憶支持シートを利用し、ブラジャー本体が広げられて引っ張られて胸部に粘着される際に、個人の体型の違いに合わせて胸部の両側を支持するように固定され、且つ両側の形状記憶支持シートにより定型支持作用が発生し、これにより胸部の両側（または腋下部位）の粘着部位を引っ張る力が相殺され、粘着部位を続々と引っ張る力が減少し、皮膚が引っ張られることを有効に回避させ、粘着部位のつやつやした皮膚を保護し、皮膚に水泡ができたり、破れたりするのを防ぐ。
【０００９】
本考案は、機能性ヌードブラジャーの改良を提供し、前記２枚の形状記憶支持シートが同時に嵌入されて被覆されるようにブラジャー本体の挟み層内に一体成形され、極めて優れた嵌入結合を形成させることを別の目的とする。
【００１０】
また、本考案の別の態様は、好ましくは、前記２枚の形状記憶支持シートがブラジャー本体の外面に更に貼着され、ブラジャー本体の外面に簡単に結合される。
【００１１】
また、本考案の別の態様は、好ましくは、前記２枚の形状記憶支持シートとして可撓性材料または非可撓性材料が選択される。例えば、可撓性または非可撓性の金属シート、アルミニウムシート、或いは薄いプラスチックシート等材料が選択される。可撓性材料を使用する場合、塑性効果を有するため、着用後に取り外されると形状記憶支持シートが自動的に原形を回復させる。
【００１２】
さらに、本考案の別の態様は、好ましくは、前記２枚の形状記憶支持シートは形状記憶支持シートまたはその辺縁の位置に軟性被覆フィルムが封入され、形状記憶支持シートがブラジャー本体を穿刺しなくなり、ブラジャー本体の損壊から保護される。
【００１３】
また、本考案の別の態様は、好ましくは、前記２枚の形状記憶支持シートが共にＣ形状を呈し、２枚の形状記憶支持シートのＣ形状の開口部はそれぞれ内に向けられ、Ｃ形状の外縁部分はブラジャー本体の両側の形状に適するように対応させる。前記Ｃ形状の開口部は使用者が両手の指でそれぞれ押す開口部の位置を示し、その後に広げるように引っ張るとブラジャー本体の中段も十分に広げられて伸びるため、使用者がブラジャー本体の両側辺を引っ張るだけで両側辺が過度に広げられて伸びること等が発生しなくなる。
【００１４】
本考案の別の態様は、好ましくは、前記ブラジャー本体は周縁の輪郭辺に僅かに内曲される曲面ガイド部が形成され、吸盤状のブラジャー本体が形成され、ブラジャー本体が胸部に粘着される際に吸盤のような被覆吸着効果が生まれ、ブラジャー本体が胸部に堅固に着用され、被覆及び固定の快適性も向上する。
【００１５】
なお、本考案の別の態様は、好ましくは、前記ブラジャー本体は上縁及び下縁の中央部位に内向きの円弧角がそれぞれ形成され、ブラジャー本体の最外縁の両側には波辺形状がそれぞれ形成され、ブラジャー本体が蝶の羽のようなデザインを呈する。
【図面の簡単な説明】
【００１６】
【図１】本考案の一実施形態に係るに係るヌードブラジャーを説明する組立の正面図である。
【図２】図１に示すＡ一Ａ線に沿う断面図である。
【図３】図１に示すＢ−Ｂ線に沿う断面図である。
【図４】図１に示すＣ一Ｃ線に沿う断面図である。
【図５】本考案の２枚の形状記憶支持シートの状態を示す概略図である。
【図６】本考案の使用状態を説明する傾斜図である。
【図７】本考案の使用状態を説明する正面図である。
【図８】本考案の２枚の形状記憶支持シートが軟性被覆フィルムを包囲する状態を示す概略図である。
【図９】本考案の他の実施形態に係るヌードブラジャーを説明する組立の正面図である。
【図１０】図９に示すＤ一Ｄ線に沿う断面図である。
【図１１】図９に示すＥ−Ｅ線に沿う断面図である。
【図１２】図９に示すＦ一Ｆ線に沿う断面図である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
[実施形態]
【００１８】
本考案の機能性ヌードブラジャーの改良は、主にブラジャー本体１及び２枚の形状記憶支持シート２、２'で構成される（図１乃至図４参照）。ブラジャー本体１は１枚の長方形で一体成形される長方形シートであり、その外面１１には粘性を有せず、内面１２（図２乃至図４参照）に粘性を有する。前記ブラジャー本体１には無毒なシリコン材質が採用され、成形時に前記外面１１は粘性を有せず、前記内面１２のみが粘性を有する。または、必要によっては従来の接着技術を利用し、前記内面１２に粘性を有するようにしてもよい。２枚の形状記憶支持シート２、２'は図５に示されるように共に薄片形状を呈し、且つ前記ブラジャー本体１の両側にそれぞれ結合され、定型支持作用を有する。上述の２枚の薄片形状の形状記憶支持シート２、２'はブラジャー本体１の両側にそれぞれ成形されるように結合され、ブラジャー本体１が広げられて引っ張られて胸部に粘着される際に２枚の形状記憶支持シート２、２'が個人の体型の違いに合わせて胸部の両側を支持させるように固定され、且つ定型支持作用を発生させる（図６及び図７参照）。これにより、胸部の両側（または腋下部位）の粘着部位を引っ張る力が相殺され、粘着部位を不断で引っ張る力が大幅に減少し、皮膚が引っ張られるのを有効に回避させる。これにより、粘着部位のきめ細かな弾力のある皮膚の皮下組織に間質液が溜まらなくなり、皮膚が傷付かないようになる。
【００１９】
なお、図１乃至図４に示されるように、上述のブラジャー本体１の両側に設置される形状記憶支持シート２、２'は実施において、２枚の形状記憶支持シート２、２'が同時に嵌入されて被覆されるようにブラジャー本体１の挟み層内に一体成形され、極めて優れた嵌入結合が形成される。
【００２０】
上述の２枚の形状記憶支持シート２、２'は実施において、可撓性材料が採用されるのが最も好ましい。例えば、可撓性を有する金属シート、アルミニウムシート、または他の薄いプラスチックシート等の材料が採用される。可撓性材料は塑性効果を有するため、ブラジャー本体１が着用後に取り外されると、前記可撓性形状記憶支持シート２、２'が自動的に原形を回復させる。但し、本考案の前記２枚の形状記憶支持シート２、２'は可撓性材料に制限されず、他の非可撓性材料が使用されて実施されてもよい。
【００２１】
図８に示されるように、上述のブラジャー本体１の両側に設置される形状記憶支持シート２、２'は、形状記憶支持シート２、２'またはその辺縁の位置に軟性被覆フィルム２１、２１'が更に封入される。これにより、形状記憶支持シート２、２'がブラジャー本体１に穿刺しなくなり、ブラジャー本体１が損壊しないように保護される。
【００２２】
続いて、図９乃至図１２に示されるように、上述のブラジャー本体１の両側に設置される形状記憶支持シート２、２'は実施において、ブラジャー本体１の外面１１に直接貼着され、ブラジャー本体１の外面１１に簡単に結合される。
【００２３】
図１または図９の実施形態によると、上述の２枚の形状記憶支持シート２、２'は共にＣ形状を呈する薄片であり、２枚の形状記憶支持シート２、２'のＣ形状の開口部２２、２２'はお互いに向かい合って、Ｃ形状の外縁部分２３、２３'はブラジャー本体１の両側の形状に適するように対応させる。前記Ｃ形状の開口部２２、２２'は使用者が両手の指でそれぞれ押して広げて引っ張るための目安となり、ブラジャー本体１の中段も十分に広げられて引っ張られ、使用者がブラジャー本体の両側辺を引っ張るだけで両側辺が過度に広げられて伸びること等が発生しない。
【００２４】
図２〜図４に示されるように、上述のブラジャー本体１は周縁の輪郭辺に僅かに内曲される曲面ガイド部１３が形成され、周縁の輪郭辺の内曲される曲面ガイド部１３により吸盤のような長方形シートが形成される。ブラジャー本体１が胸部に粘着される際にも吸盤のような被覆吸着効果が発生し、ブラジャー本体１が胸部に堅固に着用され、被覆及び固定の快適性も増す。
【００２５】
図１または図９の実施形態に示されるように、前記ブラジャー本体１は上縁及び下縁の中央部位に内向きの円弧角１４、１５がそれぞれ形成され、ブラジャー本体１の最外縁の両側１６、１６'に波辺形状がそれぞれ形成され、ブラジャー本体１が蝶の羽のようなデザインを呈する。
【００２６】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２７】
１  ブラジャー本体
２  形状記憶支持シート
２'  形状記憶支持シート
１１  外面
１２  内面
２１'  軟性被覆フィルム
２１'  軟性被覆フィルム
２２  Ｃ形状の開口部
２２'   Ｃ形状の開口部
２３  外縁部分
２３'  外縁部分
１３  曲面ガイド部
１４  内向きの円弧角
１５  内向きの円弧角
１６  最外縁の両側
１６'  最外縁の両側
【図１】
0003217239.tif 000003
【図２】
0003217239.tif 000004
【図３】
0003217239.tif 000005
【図４】
0003217239.tif 000006
【図５】
0003217239.tif 000007
【図６】
0003217239.tif 000008
【図７】
0003217239.tif 000009
【図８】
0003217239.tif 000010
【図９】
0003217239.tif 000011
【図１０】
0003217239.tif 000012
【図１１】
0003217239.tif 000013
【図１２】
0003217239.tif 000014